(57)【要約】      （修正有）【課題】良き放熱と配電機能をともに有する発光ダイオード用リードフレームを提供する。【解決手段】放熱フレーム２には、複数の放熱フィン２１と、発光ダイオード基板嵌合溝２２と、電源配置溝２３とを有し、発光ダイオード基板嵌合溝には、発光ダイオード基板１を締め付けられ、電源配置溝には、絶縁体２４に被覆の導電条２５を穿通され、しかも、２つの電源配置溝で、陽極と陰極の給電を構成し、なお、放熱フレームの発光ダイオード基板嵌合溝の表面に、２つの嵌合溝開口を形成し、該嵌合溝開口に、相対して、電源配置溝の絶縁体と導電条の接合欠けを有し、嵌合溝開口と接合欠けを、締付部材３で締め付け、前記締付部材は、電源導通の主要な媒質素子であり、良き導体な金属からなり、前記発光ダイオード基板の導電孔と、放熱フレームの嵌合溝開口２２１と、絶縁体の接合欠けとを穿通しねじり込められ、導電条に接触し、電流導通と固定部材になる。【選択図】図１
0003163194.tif 000002
【実用新案登録請求の範囲】
【請求項１】
発光ダイオード用リードフレームであって、その構造は、発光ダイオード基板と、放熱フレームと、発光ダイオード基板を放熱フレームに締め付ける締付部材と、で構成され、
前記発光ダイオード基板と放熱フレームは、各々単一で、或いは複数の連結でもよい、
発光ダイオード基板には、１つ或いは複数の発光ダイオード台座を配置し、各々の発光ダイオード台座の内に、発光ダイオードを配設し、さらに、発光ダイオード基板に、少なくとも、２つの導体の締付部材にねじり込められ導電孔を有し、締付部材の締結より、陽極と陰極の導電を形成し、発光ダイオードに需要な直流伝導を提供し、同時に、発光ダイオード基板と放熱フレームに取り付けるな二重作用ができて、
放熱フレームには、複数の放熱フィンと、発光ダイオード基板嵌合溝と、電源配置溝と、を有し、発光ダイオード基板嵌合溝には、発光ダイオード基板を締め付けられ、電源配置溝には、絶縁体に被覆の導電条を穿通され、しかも、２つの電源配置溝で、陽極と陰極の給電を構成し、
なお、放熱フレームの発光ダイオード基板嵌合溝の表面に、２つの嵌合溝開口を形成し、該嵌合溝開口に、相対して、電源配置溝の絶縁体と導電条の接合欠けを有し、嵌合溝開口と接合欠けを、締付部材で締め付け、
前記締付部材は、電源導通の主要な媒質素子であり、良き導体な金属からなり、前記発光ダイオード基板の導電孔と、放熱フレームの嵌合溝開口と、絶縁体の接合欠けと、を穿通しねじり込められ、導電条に接触し、電流導通と固定部材になることを特徴とする発光ダイオード用リードフレーム。
【請求項２】
前記発光ダイオード基板の導電孔には、表面環層を有し、締付部材と導通することを特徴とする請求項１に記載の発光ダイオード用リードフレーム。
【請求項３】
前記発光ダイオード基板の導電孔には、表面環層を有し、各々の発光ダイオードと導通することを特徴とする請求項１に記載の発光ダイオード用リードフレーム。
【請求項４】
前記締付部材に、良き導電機能を具備する金属導体ワシャを配置して、或いは、さらに、締付部材と金属導体ワシャをはんだ溶接して、良き導電機能を提供することを特徴とする請求項１に記載の発光ダイオード用リードフレーム。
【請求項５】
前記放熱フレームは、複数の連結の場合には、連結部材で連結させ、連結部材より、複数の放熱フレームの連結で、発光ダイオードの配置する長さが調整できることを特徴とする請求項１に記載の発光ダイオード用リードフレーム。
【考案の詳細な説明】
【技術分野】
【０００１】
本発明は、発光ダイオード装置に関し、特に、リードフレームの放熱フレームに関する。
【背景技術】
【０００２】
従来の発光ダイオード用リードフレームの放熱フレームは、単一放熱機能を具備するのみ、良き電気導通機能も与える配電手段が、まだ見つかっていない。
【考案の開示】
【考案が解決しようとする課題】
【０００３】
前述従来の発光ダイオード用リードフレームは、その放熱フレームには、単一放熱機能を具備するのみ、良き電気導通機能も与える配電手段が、まだ見つかっていない、しかも、発光ダイオード基板の配置長さの対応手段も欠け、発光ダイオードの照明の利用に、欠点がある。
この考案は、以上の問題を解決し、良き放熱と配電機能をともに有する発光ダイオード用リードフレームを提供することを課題とする。
【課題を解決するための手段】
【０００４】
そこで、本考案者は従来の技術に見られる欠点に鑑み鋭意研究を重ねた結果、発光ダイオード用リードフレームの構造は、
発光ダイオード基板と、放熱フレームと、発光ダイオード基板を放熱フレームに締め付ける締付部材と、で構成され、
前記発光ダイオード基板と放熱フレームは、各々単一で、或いは複数の連結でもよい、
発光ダイオード基板には、１つ或いは複数の発光ダイオード台座を配置し、各々の発光ダイオード台座の内に、発光ダイオードを配設し、さらに、発光ダイオード基板に、少なくとも、２つの導体の締付部材にねじり込められ導電孔を有し、締付部材の締結より、陽極と陰極の導電を形成し、発光ダイオードに需要な直流伝導を提供し、同時に、発光ダイオード基板と放熱フレームに取り付けるな二重作用ができて、
放熱フレームには、複数の放熱フィンと、発光ダイオード基板嵌合溝と、電源配置溝と、を有し、発光ダイオード基板嵌合溝には、発光ダイオード基板を締め付けられ、電源配置溝には、絶縁体に被覆の導電条を穿通され、しかも、２つの電源配置溝で、陽極と陰極の給電を構成し、
なお、放熱フレームの発光ダイオード基板嵌合溝の表面に、２つの嵌合溝開口を形成し、該嵌合溝開口に、相対して、電源配置溝の絶縁体と導電条の接合欠けを有し、嵌合溝開口と接合欠けを、締付部材で締め付け、
前記締付部材は、電源導通の主要な媒質素子であり、良き導体な金属からなり、前記発光ダイオード基板の導電孔と、放熱フレームの嵌合溝開口と、絶縁体の接合欠けと、を穿通しねじり込められ、導電条に接触し、電流導通と固定部材になる
【考案の効果】
【０００５】
この考案によれば、発光ダイオード用リードフレームは、その放熱フレームに、良き放熱機能と電気導通機能を同時に具備させ、しかも、発光ダイオード基板の配置長さの対応手段も有し、発光ダイオードの照明の利用に、貢献する。
【実施例】
【０００６】
図１に、この考案の発光ダイオード用リードフレームの実施例より構造の説明図を開示する。図面によれば、この考案による発光ダイオード用リードフレームは、発光ダイオード基板１と、放熱フレーム２と、発光ダイオード基板１を放熱フレーム２に締め付けるの締付部材３と、で構成される。前記締付部材３が発光ダイオードに電源を導通する部材であり、陽極と陰極で少なくとも２つの締付部材３が必要である。
図１に示すように、２つの放熱フレーム２が、連結部材２０で連結させ、連結部材２０より、複数の放熱フレーム２の連結で、発光ダイオードを配置する長さが調整できる。
図２，３に、単一の放熱フレーム２で、説明する。図面に示すように、発光ダイオード基板１には、１つ或いは複数の発光ダイオード台座１１を配置し、各々の発光ダイオード台座１１の内に、発光ダイオード１２を配設し、さらに、少なくとも、２つの締付部材３を設け、導電孔１３に締め付け、而して、導電孔１３の表面環層１３１は、各々の発光ダイオード１２と導通しており、少なくとも、２つの締付部材３の締め付けで、発光ダイオード１２に需要な直流伝導を提供し（図３参照）、しかも同時に、発光ダイオード基板１を放熱フレーム２に取り付けるの二重作用ができる。
図３，４に示すように、締付部材３は、電源導通の主要な媒質素子で、良い金属導体からなり、同時に良き締め付けと導電機能を具備するように、金属導体ワシャ３１を配置し、或いは、さらに、締付部材３と金属導体ワシャ３１をはんだ溶接して、良き締め付けと導電機能をともに確実とする。なお、図４に示すように、放熱フレーム２には、複数の放熱フィン２１と、発光ダイオード基板嵌合溝２２と、電源配置溝２３と、を有し、発光ダイオード基板嵌合溝２２には、なかに、発光ダイオード基板１を締め付け、電源配置溝２３には、なかに、絶縁体２４に被覆の導電条２５を穿通し、発光ダイオード基板嵌合溝２２の表面に、陽極と陰極の２つの嵌合溝開口２２１を形成し、締付部材３の取り付けと導通開口を提供し、絶縁体２４の接合欠け２４１の位置のガイドで、締付部材３が、電源配置溝２３の両側の金属部分を触れずで、ショート問題を起こさないにする。
図４に示すように、発光ダイオード基板嵌合溝２２の嵌合溝開口２２１に、相対して、絶縁体２４の接合欠け２４１を有し、而して、導電条２５が、絶縁体２４に被覆し絶縁を確保されて、電流を提供し、締付部材３は、発光ダイオード基板１の導電孔１３と、嵌合溝開口２２１と、絶縁体２４の接合欠け２４１と、を穿通しねじり込め、導電条２５との接触導通で、発光ダイオード基板１の各導電孔１３を導電し、よって、発光ダイオード基板１と放熱フレームの導電を達成する。
【図面の簡単な説明】
【０００７】
【図１】この考案の実施例の立体斜視図である。
【図２】この考案の上面図と側面図である。
【図３】この考案の締結説明図である。
【図４】この考案の組立断面図である。
【符号の説明】
【０００８】
１         発光ダイオード基板
１１       発光ダイオード台座
１２       発光ダイオード
１３       導電孔
１３１     表面環層
２         放熱フレーム
２０       連結部材
２１       放熱フィン
２２       発光ダイオード基板嵌合溝
２２１     嵌合溝開口
２３       電源配置溝
２４       絶縁体
２４１     接合欠け
２５       導電条
３         締付部材
３１       金属導体ワシャ
【図１】
0003163194.tif 000003
【図２】
0003163194.tif 000004
【図３】
0003163194.tif 000005
【図４】
0003163194.tif 000006
【手続補正書】
【提出日】平成22年4月23日(2010.4.23)
【手続補正１】
【補正対象書類名】実用新案登録請求の範囲
【補正対象項目名】全文
【補正方法】変更
【補正の内容】
【実用新案登録請求の範囲】
【請求項１】
少なくとも１以上の、ＬＥＤを取り付けるためのＬＥＤ取り
付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔溝とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具えることを特徴とする放熱型ＬＥＤアルミ基板モジュール。
【請求項２】
前記回路基板の表面で、それぞれの該導電孔の周囲には、該締結部材と電気的に接続して通電するとともに、該回路基板と電気的に接続して通電する環状導電層を形成することを特徴とする請求項１に記載の放熱型ＬＥＤアルミ基板モジュール。
【請求項３】
前記締結部材で該回路基板を固定する場合に座金を用い、かつ該締結部材と該座金とが好ましい導電性を有する材質によってなるか、もしくは該締結部材と該座金との表面に好ましい導電性を有する導電層を鍍金して形成することを特長とするに請求項１に記載の放熱型ＬＥＤアルミ基板モジュール。
【請求項４】
前記回路基板が他の回路基板を連結するための連結部材を具えることを特徴とする請求項１に記載の放熱型ＬＥＤアルミ基板モジュール。
【手続補正２】
【補正対象書類名】明細書
【補正対象項目名】全文
【補正方法】変更
【補正の内容】
【考案の詳細な説明】
【技術分野】
【０００１】
本発明は、ＬＥＤを接続し、該ＬＥＤの点灯を制御する回路基板を具え、かつ優れた放熱効果を有するＬＥＤアルミ基板モジュールに関する。
【背景技術】
【０００２】
従来の技術による放熱効果を有するＬＥＤモジュール、もしくはかかるＬＥＤモジュールに用いられるアルミ基板は、その機能が放熱効果のみに限定されていて、放熱効果と、好ましい配線、電流の供給とを兼ね備えた実施可能な手段は、ＬＥＤ照明技術において未だ見つけられていない。
【０００３】
ＬＥＤ照明の技術領域において、放熱効果を有するＬＥＤモジュール、もしくはかかるＬＥＤモジュールに用いられるアルミ基板は、回路基板を設ける箇所の長さ、配線、配線構造の属性に起因して、もしくは直列を並列にすることによって起きる電圧の減衰の影響で、ＬＥＤ照明の応用能力が大幅に低減する。
【考案の概要】
【考案が解決しようとする課題】
【０００４】
この考案は、電圧の減衰、短絡の発生などを防ぐ配線構造を具え、かつ優れた放熱効果を有する放熱型ＬＥＤアルミ基板モジュールを提供することを課題とする。
【課題を解決するための手段】
【０００５】
そこで、本考案者は従来の技術に見られる欠点に鑑み鋭意研究を重ねた結果、  少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔溝とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具える放熱型ＬＥＤアルミ基板モジュールによって課題を解決できる点に着眼し、かかる知見に基づいて本考案を完成させた。
【０００６】
以下、この考案について具体的に説明する。
請求項１に記載する放熱型ＬＥＤアルミ基板モジュールは、少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔溝とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具える。
【０００７】
請求項２に記載する放熱型ＬＥＤアルミ基板モジュールは、請求項１における回路基板の表面で、それぞれの該導電孔の周囲には、該締結部材と電気的に接続して通電するとともに、該回路基板と電気的に接続して通電する環状導電層を形成する。
【０００８】
請求項３に記載する放熱型ＬＥＤアルミ基板モジュールは、請求項１における締結部材で該回路基板を固定する場合に座金を用い、かつ該締結部材と該座金とが好ましい導電性を有する材質によってなるか、もしくは該締結部材と該座金との表面に好ましい導電性を有する導電層を鍍金して形成する。
【０００９】
請求項４に記載の放熱型ＬＥＤアルミ基板モジュールは、請求項１における回路基板が他の回路基板を連結するための連結部材を具える。
【図面の簡単な説明】
【００１０】
【図１】この考案によるＬＥＤアルミ基板モジュールの斜視図である。
【図２】この考案におけるＬＥＤ取り付け部を具えた回路基板の一部平面図と側面図である。
【図３】この考案における回路基板を締結部材によって固定する構造を示した説明図である。
【図４】図１に開示するＬＥＤアルミ基板モジュールの断面図である。
【考案を実施するための形態】
【００１１】
この考案は、電圧の減衰、短絡の発生などを防ぐ配線構造を具え、かつ優れた放熱効果を有する放熱型ＬＥＤアルミ基板モジュールを提供するものであって、少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、複数の放熱フィンを形成するとともに、内部に該回路基板を締結部材で固定する回路基板取り付け溝と、電源線を収納する２本の電源線収納孔溝とを長手方向に沿って形成し、かつ該回路基板取り付け溝の底面には、該電源線収納孔に到る開口部を該電源線収納溝に沿って形成したＬＥＤアルミ基板と、該電源線を被覆するとともに、該開口部に対応する位置から該電源線に接する面に達する切込みを形成した絶縁層と、該回路基板の該導電孔から該開口部と該絶縁層の該切込みを通過して、一端が該電源線に達して、該回路基板を固定するとともに、該電源線と該回路基板との間において通電の仲介を行なう締結部材と、によって構成する。
かかる放熱型ＬＥＤアルミ基板モジュールの構造と特徴を説明するために、具体的な実施例を挙げ、図面を参照にして如何に詳述する。
【実施例】
【００１２】
図１に開示するように、この考案によるＬＥＤアルミ基板モジュールは、
ＬＥＤアルミ基板２を具え、ＬＥＤアルミ基板２は他のＬＥＤアルミ基板と
と直列することができる。両ＬＥＤアルミ基板モジュール２の間は、連結部材２０によって連結する。このように、複数のＬＥＤアルミ基板２を連結することによって、ＬＥＤアルミ基板モジュール全体を長くすることができ、長さを調整することができる。即ち、回路基板１の配置を照明環境における必要性に適合させることができる。
【００１３】
図２、３に開示するように、ＬＥＤ１２の点灯を制御する回路基板１は、一つ、もしくは一以上のＬＥＤ取り付け部１１を具え、ＬＥＤ１２をＬＥＤ取り付け部１１に設ける。また、回路基板には締結部材３を螺着させて締結するための導電孔１３を正電流と負電流に対応させて少なくとも二以上形成する。回路基板１の表面で、それぞれの導電孔１３の周囲には、締結部材３と電気的に接続して通電するとともに、回路基板と電気的に接続して通電する環状導電層１３１を形成する。このため、電流をそれぞれのＬＥＤ取り付け部１１に供給するとともに、少なくとも二以上の締結部材３を螺着させて回路基板１締結することができる。即ち、ＬＥＤが発光するために必要な直流の正電流、負電流の供給を達成するとともに、回路基板１をＬＥＤアルミ基板２の基板取り付け溝２２に、容易に取り付けて固定することができる。
【００１４】
図３、４に開示するように、締結部材３は、配線に通電させるための仲介をする部材でもあり、好ましい導電性を有する材質によってなる。締結部材３を螺着する場合は、好ましい導電性を有する材質によってなる座金３１を
用いる。もしくは、締結部材３と座金３１とに好ましい導電性を有する導電層を鍍金によって形成してもよい。したがって、締結部材３は、締結と導電との両作用を具える。
【００１５】
図４に開示するように、ＬＥＤアルミ基板２は複数の放熱フィン２１を形成するとともに、長手方向に沿って回路基板取り付け溝２２と、２本の電源線収納孔２３とを形成する。回路基板取り付け溝２２には回路基板１を設け、締結部材３で固定する。電源線収納孔２３には、絶縁層２４によって覆われた電源線２５を収納する。
【００１６】
また、回路基板取り付け溝２２の底面には、それぞれの電源線収納孔２３に至る開口部２２１を電源線収納孔２３に沿って形成する。締結部材３の一端は、開口部２２１を通過して、開口部２２１の両側壁に接触することなく、絶縁層２２に到る。よって、締結部材３は絶縁層２２に螺着して、開口部２２１の両側壁の金属部分に接触して短絡することを防ぐ。開口部２２１の幅は、締結部材３の直径よりやや広くする。さらに、絶縁層２４は、開口部２２１に対応する位置から電源線２５接する面に達する切り込み２４１を形成する。締結部材３は切り込み２４１にガイドされることによって、電源線収納孔２３の側壁の金属部分に接触して短絡することを防ぐ。
【００１７】
図４に開示するように、ＬＥＤアルミ基板２の電源線収納孔２３に対する面に形成した開口部２２１には絶縁層２４を設け、絶縁層２４には上方から電源線２５に達する切りこみ２４１を形成する。よって、電源線２５に対する絶縁の効果が得られる。よって、大量の電流を流すことができる。
【００１８】
また、締結部材３は、回路基板１の導電孔１３から開口部２２１を経て、一端が電源線２５に達する。この場合、締結部材３は絶縁層２４の切り込み２４１を通過する。絶縁層２４は、締結部材３によってやや膨張し、締結部材３を固定させる。かかる構成によって締結部材３はＬＥＤアルミ基板モジュールにおいて、回路基板１の固定と、通電の仲介という効果を達成することができる。
【符号の説明】
【００１９】
１ 回路基板
１１ ＬＥＤ取り付け部
１２ ＬＥＤ
２ ＬＥＤアルミ基板
２０ 連結部材
２１ 放熱フィン
２２ 基板取り付け溝
２２１ 開口部
２３ 電源線収納孔
２４ 絶縁層
２４1 切り込み
２５ 電源線
３ 締結部材
３１ 座金
【手続補正書】
【提出日】平成22年7月9日(2010.7.9)
【手続補正１】
【補正対象書類名】実用新案登録請求の範囲
【補正対象項目名】請求項１
【補正方法】変更
【補正の内容】
【請求項１】
少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具えることを特徴とする放熱型ＬＥＤアルミ基板モジュール。
【手続補正２】
【補正対象書類名】明細書
【補正対象項目名】０００５
【補正方法】変更
【補正の内容】
【０００５】
そこで、本考案者は従来の技術に見られる欠点に鑑み鋭意研究を重ねた結果、  少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具える放熱型ＬＥＤアルミ基板モジュールによって課題を解決できる点に着眼し、かかる知見に基づいて本考案を完成させた。
【手続補正３】
【補正対象書類名】明細書
【補正対象項目名】０００６
【補正方法】変更
【補正の内容】
【０００６】
以下、この考案について具体的に説明する。
請求項１に記載する放熱型ＬＥＤアルミ基板モジュールは、少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納溝に沿って形成したＬＥＤアルミ基板と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具える。
【手続補正４】
【補正対象書類名】明細書
【補正対象項目名】００１０
【補正方法】変更
【補正の内容】
【００１０】
この考案は、電圧の減衰、短絡の発生などを防ぐ配線構造を具え、かつ優れた放熱効果を有する放熱型ＬＥＤアルミ基板モジュールを提供するものであって、少なくとも１以上の、ＬＥＤを取り付けるためのＬＥＤ取り付け部を設けるとともに、締結部材を螺着させて締結するためであって、かつ正電流と負電量とに対応する複数の導電孔を形成した回路基板と、複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納溝に沿って形成したＬＥＤアルミ基板と、該電源線を被覆するとともに、該開口部に対応する位置から該電源線に接する面に達する切込みを形成した絶縁層と、該回路基板の該導電孔から該開口部と該絶縁層の該切込みを通過して、一端が該電源線に達して、該回路基板を固定するとともに、該電源線と該回路基板との間において通電の仲介を行なう締結部材と、によって構成する。
かかる放熱型ＬＥＤアルミ基板モジュールの構造と特徴を説明するために、具体的な実施例を挙げ、図面を参照にして以下に詳述する。
【手続補正書】
【提出日】平成22年8月9日(2010.8.9)
【手続補正１】
【補正対象書類名】実用新案登録請求の範囲
【補正対象項目名】請求項１
【補正方法】変更
【補正の内容】
【請求項１】
少なくとも１以上の、ＬＥＤを取り付けるためのＬＥＤ取り付け部を設けるとともに、締結部材を螺着させて締結するための複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納孔に沿って形成したＬＥＤアルミ基板と、
該電源線収納孔に収納する電源線と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、を具えることを特徴とする放熱型ＬＥＤアルミ基板モジュール。
【手続補正２】
【補正対象書類名】明細書
【補正対象項目名】０００５
【補正方法】変更
【補正の内容】
【０００５】
そこで、本考案者は従来の技術に見られる欠点に鑑み鋭意研究を重ねた結果、少なくとも１以上の、ＬＥＤを取り付けるためのＬＥＤ取り付け部を設けるとともに、締結部材を螺着させて締結するための複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納孔に沿って形成したＬＥＤアルミ基板と、
該電源線収納孔に収納する電源線と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材とを具える放熱型ＬＥＤアルミ基板モジュールによって課題を解決できる点に着眼し、かかる知見に基づいて本考案を完成させた。
【手続補正３】
【補正対象書類名】明細書
【補正対象項目名】０００６
【補正方法】変更
【補正の内容】
【０００６】
以下、この考案について具体的に説明する。
請求項１に記載する放熱型ＬＥＤアルミ基板モジュールは、  少なくとも１以上の、ＬＥＤを取り付けるためのＬＥＤ取り付け部を設けるとともに、締結部材を螺着させて締結するための複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納孔に沿って形成したＬＥＤアルミ基板と、
該電源線収納孔に収納する電源線と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材とを具える。
【手続補正４】
【補正対象書類名】明細書
【補正対象項目名】００１０
【補正方法】変更
【補正の内容】
【００１０】
少なくとも１以上の、ＬＥＤを取り付けるためのＬＥＤ取り付け部を設けるとともに、締結部材を螺着させて締結するための複数の導電孔を形成した回路基板と、
複数の放熱フィンを形成するとともに、内部に該回路基板を締結部材で固定する回路基板取り付け溝と、電源線を収納する２本の電源線収納孔とを長手方向に沿って形成し、かつ該回路基板取り付け溝の底面には、該電源線収納孔に到る開口部を該電源線収納孔に沿って形成したＬＥＤアルミ基板と、
該電源線収納孔に収納する電源線と、
該電源線を被覆するとともに、該開口部に対応する位置から該電源線に接する面に達する切込みを形成した絶縁層と、
該回路基板の該導電孔から該開口部と該絶縁層の該切込みを通過して、一端が該電源線に達して、該回路基板を固定するとともに、該電源線と該回路基板との間において通電の仲介を行なう締結部材と、によって構成する・
かかる放熱型ＬＥＤアルミ基板モジュールの構造と特徴を説明するために、具体的な実施例を挙げ、図面を参照にして以下に詳述する。